(57)【特許請求の範囲】
【請求項１】
壁面に取り付けられ、壁面に沿って水平方向に長く延び、上面に物品を載置可能な一段の棚部と、この棚部に取り付けられ、便器装置を作動可能なリモコン部とが一体をなし、
前記リモコン部は、前記棚部から離反せずに前記棚部の前面より突出することにより、操作スイッチが設けられ、前記棚部に隠蔽されていた操作面が露出することを特徴とするリモコン一体棚。
【請求項２】
前記操作スイッチは副操作スイッチであり、この副操作スイッチとは別の主操作スイッチを配置した主操作面を有しており、この主操作面は、前記リモコン部が前記棚部の前面より突出していない状態で、前記棚部の上面の前端縁の下方に位置していることを特徴とする請求項１記載のリモコン一体棚。
【請求項３】
前記主操作面は、使用者に対面すべく鉛直に対して下り勾配で傾斜していることを特徴とする請求項２記載のリモコン一体棚。
【請求項４】
前記主操作面は、操作スイッチが水平方向で一列をなして配置されていることを特徴とする請求項２又は３記載のリモコン一体棚。
【発明の詳細な説明】
【技術分野】
【０００１】
本発明は、便器装置を作動可能なリモコン一体棚に関する。このリモコン一体棚は例えば住居等のトイレ室に設けて好適である。
【背景技術】
【０００２】
例えば、トイレ室では、図３６に示すように、シャワートイレ等の電気制御可能な便器装置９２が設けられているとともに、この便器装置９２の周辺の壁面９１にその便器装置９２を作動可能なリモコン９６、棚９３、トイレットペーパーホルダ９４、タオル掛け９５等が設けられ得る。ここで、リモコン９６は、壁面９１に固定される図示しないリモコンホルダにより着脱可能になされることが一般的である。この場合、便器装置９２を使用する者が腕や手を棚９３の水平な上面９３ａに乗せる場合もあり得ることから、そのような棚９３は比較的低い位置に設けられることが一般的である。一方、その使用者にとっての視認性及び操作性向上の観点から、その棚９３の上面９３ａより上方に操作面９６ａを位置させるべくリモコン９６を設けることが一般的である。
【０００３】
こうして、このトイレ室では、その使用者によりリモコン９６の操作面９６ａが触手可能になるとともに、棚９３の上面９３ａに載置され得る予備のトイレットペーパ等の物品もその者により触手可能となる。
【０００４】
一方、特許文献１には、トイレ室の壁面に取り付けられる棚が開示されている。この棚は、上下方向に複数段の棚部を有し、そのうちの一つの棚部に局部洗浄装置用のリモコンが埋め込まれている。このため、棚を壁面に取り付けることにより、同時にリモコンを設置することができる。
【０００５】
また、特許文献２には、トイレ室の壁面の取り付けられる棚が開示されている。この棚は一段であり、その下面にはトイレットペーパホルダが取り付けられている。このため、棚を壁面に取り付けることにより、同時にトイレットペーパホルダを設置することができる。
【先行技術文献】
【特許文献】
【０００６】
【特許文献１】実開平５−３２４７４号公報
【特許文献２】特開平９−１９２０５３号公報
【発明の概要】
【発明が解決しようとする課題】
【０００７】
しかし、図３６に示すようにすると、棚９３とリモコン９６とトイレットペーパホルダ９４とを別々に壁面９１に取り付けなければならないため、施工性が悪いとともに、美観が損なわれるという欠点がある。
【０００８】
また、上記のように棚９３の上面９３ａより上方にリモコン９６の操作面９６ａを位置させていると、その棚９３の上面９３ａにはリモコン９６の優れた操作性確保のためにある程度のスペースが不可欠となり、そのスペースに物品を載置できないことから、トイレ室内を煩雑にすることともなる。
【０００９】
仮に、棚９３の上面９３ａにむやみに物品を載置した場合、その物品が使用者にとってリモコン９６の視認性及び操作性の上で邪魔になり、そのリモコン９６の操作性が低下してしまう。
【００１０】
このため、リモコン９６を壁面９１より取外し、棚９３の上面９３ａにこれを置いて使用することも考えられる。ところが、こうすると、操作面９６ａが上方を向いてしまってリモコン９６の操作性が低下するとともに、リモコン９６を載置した部分ではやはり棚９３の上面９３ａに他の物品を置くことができなくなり、同様にトイレ室内を煩雑化することとなる。
【００１１】
また、特許文献１又は２に示すようにしても、棚を壁面に取り付けると、リモコン若しくはトイレットペーパホルダのどちらか一方が壁面に取り付けられるに過ぎず、トイレットペーパホルダ又はリモコンは別に取り付けなければならない。このため、施工性が悪いとともに、美観が損なわれるという欠点がある。また、リモコンとトイレットペーパホルダとの位置関係は定められておらず、棚部、リモコン及びトイレットペーパホルダの操作性（使い勝手）が低下してしまうおそれがある。
【００１２】
本発明は、上記従来の実情に鑑みてなされたものであって、トイレ室等の優れた施工性及び美観の発揮を可能としつつ、煩雑化を有効に防止できるリモコン一体棚を提供することを解決すべき課題としている。
【課題を解決するための手段】
【００１３】
本発明のリモコン一体棚は、壁面に取り付けられ、壁面に沿って水平方向に長く延び、上面に物品を載置可能な一段の棚部と、この棚部に取り付けられ、便器装置を作動可能なリモコン部とが一体をなし、
前記リモコン部は、前記棚部から離反せずに前記棚部の前面より突出することにより、操作スイッチが設けられ、前記棚部に隠蔽されていた操作面が露出することを特徴とする。
【００１４】
このリモコン一体棚では、棚部と、リモコン部とが一体をなしている。このため、このリモコン一体棚を壁面に取り付けることにより、上面に物品を載置可能であるとともに、便器装置を作動可能である。このように、このリモコン一体棚は、施工性に優れるとともに、優れた美観を奏することができる。また、リモコン部としては有線又は無線により便器装置に信号を送出するものを採用することができる。
【００１５】
また、このリモコン一体棚では、棚部の上面にリモコン部の優れた操作性確保のためのスペースが不要となり、上面に自由に物品を載置できる。このため、煩雑化を有効に防止することができる。
【００１６】
さらに、こうであれば、棚部の上面に載置する物品が使用者の視認及び操作の上で邪魔にならず、リモコン部の操作面の位置を工夫することでリモコン部の視認性及び操作性を確保できる。
【００１７】
したがって、このリモコン一体棚によれば、トイレ室の優れた施工性及び美観の発揮を可能としつつ、煩雑化を有効に防止することができる。
【００１８】
主操作面は、使用者に対面すべく鉛直に対して下り勾配で傾斜し得る。この場合、使用者がリモコン部の主操作面を最も見易く、操作することができる。また、主操作面は、操作スイッチが水平方向で一列をなして配置され得る。
【００２０】
前記リモコン部の上面が前記副操作面とされ、リモコン部が前記棚部から離反せずに前記棚部の前面より突出することにより副操作スイッチが露出し、操作可能であり得る。この場合、リモコン部の操作性を確保することができる。すなわち、リモコン部が棚部に収納されている場合、副操作スイッチが棚部の中に収納されるため、誤動作を防止できるからである。
【図面の簡単な説明】
【００２１】
【図１】参考例１のリモコン一体棚の斜視図である。
【図２】参考例１における棚及びリモコン部の別形態を示す斜視図である。
【図３】参考例１における棚及びリモコン部の別形態を示す斜視図である。
【図４】参考例１における棚及びリモコン部の別形態の一部を示す断面図である。
【図５】参考例１における棚及びリモコン部の別形態を示す斜視図である。
【図６】実施例１における棚及びリモコン部の別形態を示す要部拡大斜視図である。
【図７】参考例１における棚及びリモコン部の別形態を示す斜視図である。
【図８】参考例１における棚及びリモコン部の別形態を示す分解斜視図である。
【図９】参考例１における棚及びリモコン部の別形態を示す要部斜視図である。
【図１０】参考例１における棚及びリモコン部の別形態を示す要部斜視図である。
【図１１】参考例２のリモコン一体棚の斜視図である。
【図１２】参考例２のリモコン一体棚の正面図である。
【図１３】参考例２における棚部及びリモコン部の別形態を示す斜視図である。
【図１４】参考例２における棚部及びリモコン部の別形態の一部を示す断面図である。
【図１５】参考例２における棚部及びリモコン部の別形態を示す斜視図である。
【図１６】参考例２における棚部及びリモコン部の別形態を示す斜視図である。
【図１７】実施例２における棚部及びリモコン部の別形態を示す斜視図である。
【図１８】参考例２における棚部及びリモコン部の別形態を示す側面図である。
【図１９】参考例２における棚部及びリモコン部の別形態を示す要部斜視図である。
【図２０】参考例２における棚部及びリモコン部の別形態を示す側面図である。
【図２１】参考例２における棚部及びリモコン部の別形態を示す斜視図である。
【図２２】参考例２における棚部及びリモコン部の別形態を示す斜視図である。
【図２３】参考例２における棚部及びリモコン部の別形態を示す側面図である。
【図２４】参考例２における棚部及びリモコン部の別形態を示す正面図である。
【図２５】参考例２におけるリモコン部及びトイレットペーパホルダの別形態を示す斜視図である。
【図２６】参考例２におけるリモコン部及びトイレットペーパホルダの別形態を示す斜視図である。
【図２７】参考例２における棚部、リモコン部及びトイレットペーパホルダの別形態を示す側面図である。
【図２８】参考例２における棚部、リモコン部及びトイレットペーパホルダの別形態を示す側面図である。
【図２９】参考例２における棚部、リモコン部及びトイレットペーパホルダの別形態を示す側面図である。
【図３０】参考例２における棚部、リモコン部及びトイレットペーパホルダの別形態を示す正面図である。
【図３１】参考例２における棚部、リモコン部及びトイレットペーパホルダの別形態を示す斜視図である。
【図３２】参考例２における棚部、リモコン部及びトイレットペーパホルダの別形態を示す斜視図である。
【図３３】リモコン部の別形態を示す正面図である。
【図３４】リモコン部の別形態を示す正面図である。
【図３５】リモコン部の別形態を示す平面図である。
【図３６】従来のトイレ室の側面図である。
【発明を実施するための形態】
【００２２】
本発明を具体化した実施例１、２及び参考例１、２を図面を参照しつつ説明する。
【実施例１】
【００２３】
＜参考例１＞
参考例１のリモコン一体棚３２は、図１に示すように、棚部３３、リモコン部３４及びトイレットペーパホルダ３５を備えている。このリモコン一体棚３２は、トイレ室で使用される。このトイレ室には、シャワートイレ一体型の便器装置等が設けられており、この便器装置の周辺の壁面にリモコン一体棚３２がブラケットにより固定されている。このリモコン一体棚３２は、便器装置の使用者が腕や手をその水平な上面３３ｂに乗せる場合もあり得ることから、比較的低い位置に設けられる。
【００２４】
棚部３３は、一段であり、壁面に沿って水平方向に長く延びている。また、棚部３３の上面３３ｂは物品を載置可能である。棚部３３の前面３３ａは水平な上面３３ｂ及び下面３３ｃと垂直である。棚部３３の前面３３ａから内部に向かって水平にリモコン部３４が埋め込まれ、これによりリモコン部３４は棚部３３と一体化されている。
【００２５】
リモコン部は便器装置を作動可能である。リモコン部３４の操作面３４ａは棚部３３の上面３３ｂの前端縁の下方に位置し、使用者に対面すべく鉛直に対して傾斜している。そして、操作面３４ａには主操作ボタンスイッチ３４ｂ及び副操作ボタンスイッチ３４ｅが水平方向に一列をなして配置されている。ここで、主操作ボタンスイッチ３４ｂは洗浄スイッチ等の使用頻度の高いスイッチであり、副操作ボタンスイッチ３４ｅは温度設定スイッチ等の使用頻度の低いスイッチである。こうして、リモコン部３４の操作面３４ａ及び棚部３３の上面３３ｂに載置され得る物品が使用者により触手可能とされている。また、棚部３３の下面３３ｃには市販のトイレットペーパホルダ３５が設けられている。リモコン部３４には、便器装置の受光部に信号を発信する受光・発光部が設けられている。
【００２６】
以上のように構成されたリモコン一体棚３２では、リモコン部３４、棚部３３及びトイレットペーパホルダ３５を別々に設ける必要がなくなるため、施工性が向上することとなる。また、上面３３ｂに物品を載置可能であるとともに、便器装置を作動可能であり、トイレットペーパを保持することができる。このため、優れた美観を奏することができる。
【００２７】
また、このリモコン一体棚３２では、リモコン部３４の操作面３４ａが上面３３ｂの前端縁の下方に位置しているため、その棚部３３の上面３３ｂにリモコン部３４の優れた操作性確保のためのスペースが不要となり、上面４ｂに自由に物品を載置できることから、煩雑化を有効に防止することができる。
【００２８】
さらに、このリモコン一体棚３２では、棚部３３の上面３３ｂに載置された物品が使用者の視認及び操作の上で邪魔にならず、かつリモコン部３４の操作面３４ａが棚部３３の上面３３ｂの前端縁の下方に位置しているため、リモコン部３４の視認性及び操作性を確実に確保できる。
【００２９】
したがって、このリモコン一体棚３２によれば、トイレ室の優れた施工性及び美観の発揮を可能としつつ、煩雑化を有効に防止することができる。
【００３０】
参考例１において、棚部及びリモコン部は、図２〜図１０に示される形態であってもよい。
【００３１】
図２〜図４に示すように、棚部４の前面４ａは、使用者に対面すべく鉛直に対して下り勾配をなして傾斜していてもよい。この場合、リモコン部５の操作面５ａは棚部４の前面４ａと面一になっていてもよい。
【００３２】
リモコン部５の操作面がその周囲である棚部４の前面４ａと面一であるため、棚部４の上面４ｂに物品を載置しようとする場合等、人体やその物品がリモコン部５の操作面５ａと干渉せず、リモコン部５の誤動作や破損を防止することができる。また、リモコン部５の操作面５ａが棚部４の下り勾配で傾斜している前面４ａと面一であるため、使用者がリモコン部５の操作面５ａを最も見易く、操作しやすい。さらに、これらにより優れた美観を奏している。
【００３３】
また、このリモコン一体棚３では、リモコン部５の操作面５ａがその周囲である棚部４の前面４ａと面一であるため、棚部４の上面４ｂに物品を載置しようとする場合等、人体やその物品がリモコン部５の操作面５ａと干渉せず、リモコン部５の誤動作や破損を防止することができる。また、リモコン部５の操作面５ａが棚部４の下り勾配で傾斜している前面４ａと面一であるため、使用者がリモコン部５の操作面５ａを最も見易く、操作しやすい。さらに、これらにより優れた美観を奏している。なお、リモコン部５の操作面５ａには主操作ボタンスイッチ５ｂ及び副操作ボタンスイッチ５ｃが水平方向で一列をなして配置されている。
【００３４】
便器装置２は、使用者の体重、体脂肪等の健康状態に関する情報を自動的に取得できるようになっており、便座の温度、温水の温度等の便器装置の機能に関する情報とともにこの使用者の健康状態に関する情報を図示しない発光部から発信できるようになっている。リモコン部５には、便器装置２のその発光部から信号を受信するとともに、便器装置２の図示しない受光部に信号を発信する受光・発光部５ｅが設けられている。受光・発光部５ｅで受信された信号はリモコン部５の操作面５ａに配置された表示器５ｄにより表示されるようになっている。また、受光・発光部５ｅで発信した信号は便器装置２で反映されるようになっている。棚部４には、この受光・発光部５ｅを露出させる開口４ｃが設けられている。
【００３５】
このため、受光・発光部５ｅを露出することができ、リモコン部５から便器装置２に信号を確実に送出することができる。
【００３６】
また、リモコン部５の操作面５ａに配置された表示器５ｄにより便座の温度、温水の温度等の便器装置２の機能を表示できるため、快適な使用環境を作り出すことができる。また、この表示器５ｄにより体重、体脂肪等の使用者の健康状態を表示できるため、簡易に健康管理を行うことができる。
【００３７】
図５に示すように、棚部７の前面７ａが水平な上面７ｂ及び下面７ｃと垂直であり、前面７ａとリモコン部８の操作面８ａとが面一になっていてもよい。そして、操作面８ａには洗浄スイッチ等の主操作ボタンスイッチ８ｂが配置されている。
【００３８】
＜実施例１＞
実施例１のリモコン一体棚の棚部及びリモコン部は、図６に示すように、操作面８ａを押すことによりリモコン部８が前方に突出すべく、棚部７とリモコン部８との間には図示しない公知のプッシュロックオープン機構が設けられている。こうして、リモコン部８は、棚部７から離反せずに突出可能となっている。そして、リモコン部８が前方に突出することにより露出したリモコン部８の上面８ｄには、温度設定スイッチ等の副操作ボタンスイッチ８ｅ及び電池Ｂを収納する開口８ｆが設けられている。
【００３９】
リモコン部８の操作面８ａがプッシュロックオープン機構により前方に突出して使用者に近づくため、リモコン部８の操作性をより確保することができる。また、主操作ボタンスイッチ８ｂを操作面８ａに配置し、副操作ボタンスイッチ８ｅを上面８ｄに配置していることから、これによってもリモコン部８の操作性をより確保することができる。すなわち、リモコン部８が棚部７内に収納されている場合、使用頻度の低い副操作スイッチ８ｅは棚部７の中に収納され、使用頻度の高い主操作ボタンスイッチ８ｂのみ操作可能となるため、誤動作を防止できるからである。
【００４０】
また、このリモコン一体棚６では、電池Ｂを収納する開口８ｆの蓋として棚部７を代用しているため、製造コストの低廉化を実現できる。
【００４１】
なお、プッシュロックオープン機構を採用せず、リモコン部８を前方に突出させるばねと、奥方にリモコン部８を収納した際に棚部７とリモコン部８とを係止する公知の係止手段とを採用することもできる。
【００４２】
＜参考例１＞
図７に示すように、リモコン部１１の操作面１１ａには洗浄スイッチ等の主操作ボタンスイッチ１１ｂ及び温度設定スイッチ等の副操作ボタンスイッチ１１ｅを水平方向に二列をなして配置してもよい。
【００４３】
図８に示すように、棚部１３の前面１３ａにはホルダ面１３ｄが凹設され、ホルダ面１３ｄにリモコン部１４が水平方向で着脱可能に収納されてもよい。
【００４４】
このようにすると、リモコン部１４を棚部１３から着脱できるため、使用者はリモコン部１４を棚部１３から取り外して自由な姿勢で操作できる。また、棚部１３から外したリモコン部１４を再び棚部１３に取り付けることにより、リモコン部１４の紛失も回避できる。ここで、このリモコン一体棚１２では、棚部１３をリモコンホルダとして機能させているため、リモコンホルダの省略により製造コストの低廉化を実現できる。
【００４５】
図９に示すように、リモコン部２６の操作面２６ａは棚部２５の前面２５ａより少し後退してもよい。
【００４６】
また、棚部２５の前面２５ａには、有側透明のアクリル板等からなる一対の蓋２７が摺動可能に設けられてもよい。これらの蓋２７を閉じることによりリモコン部２６の操作面２６ａが隠蔽され、閉じられた蓋２７と棚部２５の前面２５ａとは面一となる。
【００４７】
一対の蓋２７を閉じることによりリモコン部２６の操作面２６ａが隠蔽されるため、リモコン部２６の操作性を確保することができる。すなわち、一対の蓋２７を閉じることによりリモコン部２６の操作面２６ａに誤って触れることがなくなるため、誤動作を防止できるからである。また、蓋２７が操作面２６ａを直視できないようにするとともに、操作面２６ａに付着せんとする埃等を蓋が防止することから、美観を奏することができる。
【００４８】
図１０に示すように、リモコン部３０の操作面３０ａは、洗浄スイッチ等の主操作ボタンスイッチ３０ｂが配置される主操作面３０１ａと温度設定スイッチ等の副操作ボタンスイッチ３０ｅが配置される副操作面３０２ａとからなってもよい。そして、主操作面３０１ａは鉛直に対して下り勾配をなして傾斜し、副操作面３０２ａは棚部２９の前面２９ａより少し後退してもよい。
【００４９】
また、棚部２９の前面２９ａには、無色透明のアクリル板等からなる蓋３１が摺動可能に設けてもよい。この蓋３１を閉じることによりリモコン部３０の副操作面３０２ａが隠蔽され、閉じられた蓋３１と棚部２９の前面２９ａとは面一となる。
【００５０】
蓋３１を閉じることにより使用頻度の低い副操作面３０２ａが隠蔽されるとともに、主操作面３０１ａのみが直視可能となるため、誤動作を防止することができる。また、副操作面３０２ａを設けることにより主操作面３０１ａの煩雑さを防止しつつ、蓋３１がその副操作面３０２ａを直視できないようにするとともに、副操作面３０２ａに付着せんとする埃等を蓋が防止することから、美観を奏することができる。
【実施例２】
【００５１】
＜参考例２＞
参考例２のリモコン一体棚３６は、図１１に示すように、市販の１枚の板材からなる棚部３７を採用しており、棚部３７の下面にはリモコン部３８が取り付けられている。リモコン部３８の操作面３８ａは使用者に対面すべく鉛直に対して傾斜している。操作面３８ａには洗浄スイッチ等の主操作ボタンスイッチ３８ｂ及び温度設定スイッチ等の副操作ボタンスイッチ３８ｅが水平方向に一列をなして配置されている。リモコン部３８の下面には市販のトイレットペーパホルダ３９が取り付けられている。
【００５２】
また、リモコン一体棚３６では、棚部３７の水平な上面３７ｂにおいて、上方に延在し、使用者が把持可能な手摺部４０が一体に設けられている。手摺部４０の上端は固定具４０ａにより壁面１に取り付けられている。
【００５３】
このリモコン一体棚３６では、市販の棚部１６をそのまま採用しているため、製造コストの低廉化を実現できる。また、手摺部４０により、使用者が高齢者や体の弱い者である場合でも便器装置を容易に使用することができる。また、手摺部４０の上端が固定具４０ａにより壁面１に取り付けられているため、手摺部４０は棚部３７及び壁面１により固定されることになり、十分な強度を確保することができる。
【００５４】
以上のように構成された参考例２のリモコン一体棚３２では、リモコン部３４、棚部３３及びトイレットペーパホルダ３５を別々に設ける必要がなくなるため、施工性が向上することとなる。他の作用及び効果は上記参考例１と同様である。
【００５５】
また、図１２に示すように、棚部３７をブラケット４１により壁面１に固定し、電池ボックス４２を棚部３７の下面３７ｃに設けることもできる。そして、電池ボックス４２の中には、リモコン部３８に電力を供給する電池を収納することができる。
【００５６】
参考例２において、市販の１枚の板材からなる棚部の下面に取り付けられるリモコン部は、図１３〜図３２に示される形態であってもよい。
【００５７】
図１３に示すように、市販の１枚の板材からなる棚部１６の下方にＬ字形状をなす一対のブラケットからなるリモコンホルダ１８によりリモコン部１７を着脱可能に取り付けてもよい。
【００５８】
なお、図１４に示すように、リモコン部１７の操作面１７ａを棚部１６の前面１６ａから少し後退させて、操作面１７ａが前面１６ａから突出しないようにすることもできる。
【００５９】
また、図１５に示すように、市販の１枚の板材からなる棚部２０の下面２０ｃにリモコン部２１を収納可能な箱型のリモコンホルダ２２がＬ字形状をなす一対のブラケット２３により取り付けられてもよい。リモコンホルダ２２にはホルダ面２２ａが凹設され、ホルダ面２２ａ内にリモコン部２１が着脱可能に収納されている。
【００６０】
リモコン部２１の操作面２１ａには洗浄スイッチ等の主操作ボタンスイッチ２１ｂ及び温度設定スイッチ等の副操作ボタンスイッチ２１ｅが水平方向に二列をなして配置されてもよい。
【００６１】
リモコン部２１をリモコンホルダ２２から着脱可能であるため、リモコン部２１の操作性向上と紛失防止とを実現できる。
【００６２】
図１６に示すように、市販の１枚の板材からなる棚部４４の下面に取り付けられるリモコン部４５の操作面４５ａは主操作面４５１ａと副操作面４５２ａとからなり、操作面４５ａは主操作面４５１ａと副操作面４５２ａとにより開閉可能に構成されてもよい。つまり、操作面４５ａを閉じた状態では主操作面４５１ａ及び副操作面４５２ａは隠蔽され、操作面４５ａを開いた状態では主操作面４５１ａ及び副操作面４５２ａは視認可能となる。この主操作面４５１ａには洗浄スイッチ等の主操作ボタンスイッチ４５ｂが配置され、副操作面４５２ａには副操作ボタンスイッチ４５ｅが配置されている。
【００６３】
このリモコン部４５では、操作面４５ａを閉じることによりリモコン部４５の操作面４５ａが隠蔽されるため、リモコン部４５の操作性を確保することができる。すなわち、操作面４５ａを閉じることによりリモコン部４５の操作面４５ａに誤って触れることがなくなるため、誤動作を防止できるからである。また、操作面４５ａを閉じることにより操作面４５ａを直視できないようにするとともに、操作面４５ａに付着せんとする埃等を蓋が防止することから、美観を奏することができる。
【００６４】
＜実施例２＞
図１７に示すように、実施例２の市販の１枚の板材からなる棚部４７の下面に取り付けられるリモコン部４８は、前方に引き出し可能に取り付けられてもよい。
【００６５】
リモコン部４８の操作面４８ａには洗浄スイッチ等の主操作ボタンスイッチ４８ｂが配置され、リモコン部４８の水平な上面４８ｄには温度設定スイッチ等の副操作ボタンスイッチ４８ｅ及び電池Ｂを収納する開口４８ｆが設けられている。
【００６６】
リモコン部４８は前方に引出すことにより操作面４８ａが使用者に近づくため、リモコン部４８の操作性をより確保することができる。また、主操作ボタンスイッチ４８ｂを操作面４８ａに配置し、副操作ボタンスイッチ４８ｅを水平な上面４８ｄに配置していることから、これによってもリモコン部４８の操作性をより確保することができる。すなわち、リモコン部４８が棚部４７の下に収納されている場合、使用頻度の低い副操作スイッチ４８ｅは棚部４７の下に収納され、使用頻度の高い主操作ボタンスイッチ４８ｂのみ操作可能となるため、誤動作を防止できるからである。さらに、このリモコン一体棚４６では、電池Ｂを収納する開口４８ｆの蓋として棚部４７を代用しているため、製造コストの低廉化を実現できる。
【００６７】
＜参考例２＞
図１８及び図１９に示すように、棚部５２の下方にリモコン部５３がコの字形状をなすリモコンホルダ５１により着脱可能になされてもよい。リモコン部５３の上面等には、図１９に示すように、リモコンホルダ５１に嵌まり込む凹部５３ｃが設けられている。
【００６８】
前方側よりリモコン部５３をリモコンホルダ５１に対して嵌め込むことにより、リモコン部５３を棚部５２の下面に配置することができる。
【００６９】
図２０及び図２１に示すように、棚部５５の下方にリモコン部５６がＬ字形状をなす一対のブラケットからなるリモコンホルダ５４により着脱可能になされていてもよい。リモコン部５６にはビス５６ｃが挿通するビス孔５６ｄが予め設けられている。
【００７０】
棚部５５の下面側からビス５６ｃにより各リモコンホルダ５４を通してリモコン部５６を棚部５５に固定することができる。
【００７１】
図２２及び図２３に示すように、棚部５８の下方にリモコン部５９がリモコンホルダ５７にスライド可能に設けられてもよい。
【００７２】
このリモコンホルダ５７が水平状をなす水平基部５７ａを有し、この水平基部５７ａには前面両端側から前方側へ一対の保持アーム５７ｂ、５７ｂが突出して設けられている。そして、リモコン部５９は各保持アーム５７ｂ上に前後方向にスライド可能に取り付けられている。また、リモコンホルダ５７の水平基部５７ａの上面には一対のレール状のスライドレール５７ｃが設けられ、棚部５８の下面には各スライドレール５７ｃと係合するレール状のガイドフック５８ｃが設けられている。
【００７３】
棚部５８のガイドフック５８ｃに対し、スライドレール５７ｃを前方側より嵌め込む。この状態でリモコンホルダ５７を後方側へスライドさせ、リモコンホルダ５７の垂直基部５７ｄを壁面１に当接させる。そして、垂直基部５７ｄの前面よりビス５７ｅによりリモコンホルダ５７を壁面１に固定する。
【００７４】
なお、図２４に示すように、リモコン部６１をスライド可能に棚部６０に一体化させてもよい。棚部６０の左右両端側から下方に向かって垂下片６０ｃを設け、各垂下片６０ｃの下端から内側へ向かって水平状にレール片６０ｄを設けている。一方、リモコン部６１の側壁面には側面溝６１ｄを凹状に設けている。そして、各側面溝６１ｄに対してレール片６０ｄを係入させ、リモコン部６１を棚部６０の前方側より後方側へ押し込むことにより、リモコン部６１を棚部６０の下面に配置させる。このように、棚部６０自体をリモコンホルダとして使用できる。
【００７５】
図２５〜図２９に示すように、リモコン部６２、６４と紙切板６３ｃ、６５ｃを有する市販のトイレットペーパホルダ６３、６５とが一体とされてもよい。
【００７６】
すなわち、図２５に示すように、リモコン部６２には上下に貫通するビス孔６２ｅが設けられている。そして、ビス孔６２ｅ内に上方より挿入したビス６２ｄにより、リモコン部６２をトイレットペーパホルダ６３の上面６３ａに固定している。
【００７７】
また、図２６に示すように、リモコン部６４の下面６４ｃにトイレットペーパホルダ６５を一体として設けることもできる。この場合、リモコン部６４の下面６４ｃに下方側へ垂下状に垂下片６４ｄ、６４ｄを固設しておき、この各垂下片６４ｄの下端に外側へ突出して爪６４ｅを設ける。一方、トイレットペーパホルダ６５の上面６５ａには、前記垂下片６４ｄを挿通させることのできるスリット状の爪孔６５ｄを設ける。これにより、爪孔６５ｄ内に爪６４ｅを係合させ、ワンタッチでトイレットペーパホルダ６５の上面６５ａにリモコン部６４を固定させて一体化している。
【００７８】
そして、図２７に示すように、トイレットペーパホルダ６３、６５の背面板６３ｄ、６５ｄをビス６７により壁面１に固定することができる。
【００７９】
また、図２８に示すように、棚部６６を壁面１に取り付けるためにブラケット６８が使用されている場合には、トイレットペーパホルダ６３、６５の背面板６３ｄ、６５ｄをビス６７によりブラケット６８を貫通して壁面１に固定することができる。
【００８０】
さらに、図２９に示すように、リモコン部６２、６４の上面の一部にフックを取り付けておき、このフックをブラケット６８に引っ掛けた後に、トイレットペーパホルダ６３、６５の背面板６３ｄ、６５ｄをビス６７によりブラケット６８を貫通して壁面１に固定することができる。
【００８１】
図３０に示すように、棚部７１の下面に箱型のリモコンホルダ７２を固定し、このリモコンホルダ７２に対し脱着可能にリモコン部７３を取り付けてもよい。
【００８２】
棚部７１の下面には、リモコンホルダ７２を取り付けるための固定板７１ｃが固定されている。そして、この固定板７１ｃと係合すべくリモコンホルダ７２の上面に係合溝部７２ｃが設けられている。また、リモコンホルダ７２の前面には開口７２ｋが形成され、この開口７２ｋの左右の側縁から内側に向かつて水平に突出してレール７２ｄが設けられる。さらに、リモコンホルダ７２の下面には、下方へ突出する垂下片７２ｅが設けられ、垂下片７２ｅの下端部には爪７２ｆが設けられる。そして、この垂下片７２ｅをトイレットペーパホルダ７４の上面に設けられた爪穴７４ａに差し込み、リモコンホルダ７２の下面にトイレットペーパホルダ７４が取り付けられる。
【００８３】
一方、リモコン部７３の側面には前後方向に側面溝７３ｄが設けられている。そして、リモコンホルダ７２の開口７２ｋの前面側からリモコン部７３を差し込んでいる。このとき、リモコンホルダ７２のレール７２ｄにリモコン部７３の側面溝７３ｄを係合させ、リモコン部７３をスライドさせてリモコンホルダ７２に取り付けることができる。
【００８４】
図３１に示すように、棚部７５の下面に固定した箱型のリモコンホルダ７６にアタッチメント７７を取り付け、寸法の異なるリモコン部７８に対応できるようにしてもよい。
【００８５】
アタッチメント７７には、前面７７ａよりリモコン部７８を取り付ける開口７７ｋが設けられているとともに、リモコンホルダ７６の開口７６ｋ内にスライドさせるための差込みバー７７ｂが設けられている。このアタッチメント７７はネジ穴７７ｃを介し、ビス等によりリモコンホルダ７６に固定される。なお、寸法の異なる開口７７ｋを有する複数のアタッチメント７７を用意すれば、寸法の異なる複数のリモコン部７８に対応することができる。
【００８６】
図３２に示すように、棚部７９の下面に固定した箱型のリモコンホルダ８０にシャッター８０ａを取り付け、寸法の異なる複数のリモコン部８１に対応できるようにしてもよい。
【００８７】
リモコンホルダ８０の開口８０ｋ内の底面には、前後方向に延在する一対の下面レール８０ｃが設けられている。一方、リモコン部８１の底面には、下面レール８０ｃに係合する一対の底溝８１ｃが設けられている。これにより、下面レール８０ｃに底溝８１ｃを係合させて、リモコン部８１をリモコンホルダ８０内に押し込むことにより、リモコン部８１をリモコンホルダ８０に取り付けることができる。
【００８８】
また、シャッター８０ａは、所定の寸法ずつ左右方向にスライドさせることができるため、取り付けるリモコン部８１に合わせてシャッター８０ａ、８０ａを開閉することができる。
【００８９】
さらに、リモコン部８１の前端側の上面から下方に向かってダボ孔８１ｇが設けられている。そして、縦断面を三角形の形状にした操作部８１ｄをダボ８１ｆによりリモコン部８１の本体に取り付けている。この操作部８１ｄには主操作面８１１ａが形成され、操作部８１ｄにより隠蔽されるリモコン部８１の本体上面には副操作面８１２ａが形成される。主操作面８１１ａには洗浄スイッチ等の主操作ボタンスイッチ８１ｂが配置され、副操作面８１２ａには副操作ボタンスイッチ８１ｅが配置されている。そして、主操作面８１１ａと副操作面８１２ａとにより操作面８１ａが構成される。
【００９０】
このリモコン部８１では、通常の使用状態では、副操作面８１２ａが操作部８１ｄにより隠蔽され、主操作面８１１ａのみが視認可能である。そして、必要により、操作部８１ｄを取り外して副操作ボタンスイッチ８１ｅを操作することができる。このため、このリモコン部８１によれば誤動作を防止することができる。
【００９１】
リモコン部として図３３〜３５に示す形状のリモコン部を使用することもできる。
【００９２】
図３３に示すように、リモコン部８２の上面８２ｂが中央を最も高くして左右対称に傾斜しており、これにより上面８２ｂは中央から縁部に向けて下方に傾斜している。このリモコン部８２では、リモコン部８２の上面８２ｂと棚部又はリモコンホルダとの間に水が入った場合でも、その水が上面８２ｂに沿って落ちやすいため、リモコン部８２の上面８２ｂが乾燥し易くなり、汚れ難くなっている。なお、リモコン部８２の上面は曲面とすることもできる。
【００９３】
また、図３４に示すように、リモコン部８３は、上面８３ｂの中央部を最も高くして左右対称に傾斜させているとともに、下面８３ｃの中央部を最も低くして左右対称に傾斜させている。このリモコン部８３では、リモコン部８３の上面８３ｂと棚部又はリモコンホルダとの間に水が入った場合、その水は、傾斜した上面８３ｂに沿って落ち、さらにリモコン８３の下面８３ｃに沿って中央に集まる。そのため、下面８３ｃの中央に集まった水を除去できるようにすれば、リモコン部８３が乾燥し易くなり、全体に汚れ難くなっている。なお、リモコン部８３の上面８３ｂ及び下面８３ｃは平面とすることも、曲面とすることもできる。
【００９４】
さらに、図３５に示すように、リモコン部８４の上面８４ｂ及び下面８４ｃは、操作面８４ａ側が最も広く、他面８４ｄに向かい徐々に狭くなり、他面８４ｄが最も狭くなっている。このリモコン部８４では、リモコン部８４を棚部又はリモコンホルダに挿入し易くなる。
【符号の説明】
【００９５】
１…壁面
４、７、１３、１６、２０、２５、２９、３３、３７、４４、４７、５２、５５、５８、６０、６６、７１、７５、７９…棚部
２…便器装置
５、８、１１、１４、１７、２１、２６、３０、３４、３８、４５、４８、５３、５６、５９、６１、６２、６４、７３、７８、８１、８２、８３、８４…リモコン部
５ａ、８ａ、１１ａ、１７ａ、２１ａ、２６ａ、３０ａ、３４ａ、３８ａ、４５ａ、４８ａ、８１ａ、８４ａ…操作面
３５、３９、６３、６５、７４…トイレットペーパホルダ
【図１】
0004841644.tif 000002
【図２】
0004841644.tif 000003
【図３】
0004841644.tif 000004
【図４】
0004841644.tif 000005
【図５】
0004841644.tif 000006
【図６】
0004841644.tif 000007
【図７】
0004841644.tif 000008
【図８】
0004841644.tif 000009
【図９】
0004841644.tif 000010
【図１０】
0004841644.tif 000011
【図１１】
0004841644.tif 000012
【図１２】
0004841644.tif 000013
【図１３】
0004841644.tif 000014
【図１４】
0004841644.tif 000015
【図１５】
0004841644.tif 000016
【図１６】
0004841644.tif 000017
【図１７】
0004841644.tif 000018
【図１８】
0004841644.tif 000019
【図１９】
0004841644.tif 000020
【図２０】
0004841644.tif 000021
【図２１】
0004841644.tif 000022
【図２２】
0004841644.tif 000023
【図２３】
0004841644.tif 000024
【図２４】
0004841644.tif 000025
【図２５】
0004841644.tif 000026
【図２６】
0004841644.tif 000027
【図２７】
0004841644.tif 000028
【図２８】
0004841644.tif 000029
【図２９】
0004841644.tif 000030
【図３０】
0004841644.tif 000031
【図３１】
0004841644.tif 000032
【図３２】
0004841644.tif 000033
【図３３】
0004841644.tif 000034
【図３４】
0004841644.tif 000035
【図３５】
0004841644.tif 000036
【図３６】
0004841644.tif 000037